【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  （ｉ）第１および第２の検出段階中に、素子信号を生成するための複数の検出器素子（５２８）を組み込んだ検出手段（５２６）と、
（ｉｉ）両検出段階からの素子信号を処理し、固定パターンノイズが相殺されたセンサ信号を生成するための処理手段（５０４〜５１６）と
を含む、シーンのフィルタリングされた画像に対応するセンサ信号を生成するセンサシステム（８００）であって、
システムが、検出器素子の応答度に影響を及ぼす入射放射によって、検出手段（５２６）での照度に応答する感知手段（８０２、８０４）を組み込み、システム（８００）が、照度の変化に応答して両検出段階を繰り返すように構成されることを特徴とするシステム。
【請求項２】  （ｉ）感知手段（８０２、８０４）が、検出手段（５２６）での温度の変化にも応答し、
（ｉｉ）システム（８００）が、検出手段での温度が事前に設定した値より大きく変化するのに応答して、両検出段階を繰り返すように構成されることを特徴とする請求項１に記載のシステム（８００）。
【請求項３】  拡散画像段階中に少なくとも１つの素子信号が生成されるように、シーン画像を検出手段（５２８）上に投射するための投射手段（５０２）を組み込むことを特徴とする請求項１または２に記載のシステム。
【請求項４】  投射手段が、放射散乱手段（５２２）をシーンと検出手段（５２６）の間に挿入するための作動手段（５２４）を組み込むことを特徴とする請求項３に記載のシステム。
【請求項５】  作動手段（５２４）が、少なくとも１つのソレノイド手段と、散乱手段を並進運動および回転運動させて、シーンと検出手段（５２６）の間に散乱手段を挿入するための手段とを含むことを特徴とする請求項４に記載のシステム。
【請求項６】  散乱手段（５２２）が、すりガラスプレート、半透過プラスチックシート、トレーシングペーパー、マイクロプリズムシート、フレネルプレート、および位相板のうちの少なくとも１つを組み込むことを特徴とする請求項４または５に記載のシステム。
【請求項７】  投射手段が、焦点合わせされた画像から１つの素子上で受けることができる放射に相当する放射が、画像が拡散しているときには、２つの素子の間で、また素子の６４％によって受けられるように構成されることを特徴とする請求項３に記載のシステム。
【請求項８】  （ｉ）シーン画像を検出手段（５２８）上に投射するための投射手段（５０２）を組み込むこと、
（ｉｉ）投射手段（５０２）が、一方の段階中には局所空間の平均画像を検出手段（５２８）上に投射し、もう一方の段階中には焦点合わせされた測定画像を投射するように構成されること、ならびに
（ｉｉｉ）処理手段（５０４〜５１６）が、局所平均画像および測定画像から導出した素子信号からセンサ信号を生成するように構成されること
を特徴とする請求項１に記載のシステム。
【請求項９】  測定画像が、局所空間画像より先に検出手段上に投射され、それによりセンサ信号中に画像の色調反転をもたらすことを特徴とする請求項８に記載のシステム。
【請求項１０】  投射手段が、両方の場合にシーンから検出手段（５２６）に向かう放射の透過に関して、第１のほぼ非散乱の状態と第２の拡散状態の間で制御可能となるように構成された液晶空間光変調器を組み込むことを特徴とする請求項８に記載のシステム。
【請求項１１】  液晶変調器が、高分子分散型液晶（ＰＤＬＣ）デバイスに印加される制御電圧に応答して選択することができる、散乱状態および非散乱状態を有する高分子分散型液晶デバイスであることを特徴とする請求項１０に記載のシステム。
【請求項１２】  デジタルスチールカメラ、ビデオカメラ、パーソナルエレクトロニックオーガナイザ、および移動電話のうちの１つに組み込まれる、請求項１に記載のシステム。
【請求項１３】  多素子検出器（５２６）を組み込んだセンサシステムの撮像を改善する方法であって、
（ａ）検出器（５２６）に入射する放射強度を検出するステップと、
（ｂ）検出器（５２６）に入射する放射強度の変化に応答して、システム（５００）を再較正し、固定パターンノイズの変化を相殺するステップと
を含む方法。
【請求項１４】  入射する放射強度を検出するように構成された複数の検出器素子（５２８）を有する検出器（５２６）を組み込んだセンサシステムによる撮像を改善する方法であって、
（ａ）第１の段階中に第１の画像を検出器（５２６）上に投射し、各素子（５２８）で第１の信号を提供するステップと、
（ｂ）第２の段階中に第２の画像を検出器（５２６）上に投射し、各素子（５２８）で第２の信号を提供するようにするステップであって、第１および第２の画像の一方は焦点合わせされており、もう一方はある程度ぼかされているステップと、
（ｃ）各素子（５２８）で第１および第２の信号を処理し、固定パターンノイズを相殺し、それぞれの差分信号を提供するステップと、
（ｄ）検出器（５２６）に入射する放射強度が、予め決めたしきい値を超える値に変化するのに応答して、ステップ（ａ）〜（ｃ）を繰り返すステップと
を含む方法。
【請求項１５】  焦点合わせされた画像から１つの素子（５２８）上で受ける放射に相当する放射が、ある程度ぼかされた画像から、少なくとも２つの素子によって、また素子（５２８）の６４％以下によって受けられることを特徴とする請求項１４に記載の方法。
【請求項１６】  （ｉ）第１および第２の検出段階中に、それぞれ第１および第２の素子信号を生成するための複数の検出器素子（５２８）を組み込んだ検出手段（５２６）と、
（ｉｉ）センサ信号を生成する際に使用する差分信号を素子信号から導出する処理手段（５０４〜５１６）と
を含む、シーンのフィルタリングされた画像に対応するセンサ信号を生成するセンサシステム（５００）であって、
拡散画像段階中に少なくとも１つの素子信号が生成されるように、検出手段（５２８）上にシーン画像を投射するための投射手段（５０２）を組み込むことを特徴とするシステム。
【請求項１７】  投射手段が、放射散乱手段（５２２）をシーンと検出手段（５２６）の間に挿入するための作動手段（５２４）を組み込むことを特徴とする請求項１６に記載のシステム。
【請求項１８】  作動手段（５２４）が、少なくとも１つのソレノイド手段と、散乱手段を並進運動および回転運動させて、散乱手段をシーンと検出手段（５２６）の間に挿入するための手段とを含むことを特徴とする請求項１７に記載のシステム。
【請求項１９】  散乱手段（５２２）が、すりガラスプレート、半透過プラスチックシート、トレーシングペーパー、マイクロプリズムシート、フレネルプレート、および位相板のうちの少なくとも１つを組み込むことを特徴とする請求項１７または１８に記載のシステム。
【請求項２０】  投射手段が、焦点合わせされた画像から１つの素子上で受けることができる放射に相当する放射が、画像が拡散しているときには、２つの素子の間で、また素子の６４％によって受けられるように構成されることを特徴とする請求項１６に記載のシステム。
【請求項２１】  投射手段が、両方の場合にシーンから検出手段（５２６）に向かう放射の透過に関して、第１のほぼ非散乱の状態と第２の拡散状態の間で制御可能な液晶空間光変調器を組み込むことを特徴とする請求項１６に記載のシステム。
【請求項２２】  液晶変調器が、高分子分散型液晶（ＰＤＬＣ）デバイスに印加される制御電圧に応答して選択することができる、散乱状態および非散乱状態を有する高分子分散型液晶デバイスであることを特徴とする請求項２１に記載のシステム。
【請求項２３】  高分子分散型液晶デバイスが、印加される制御電圧の増加に応答して光散乱の程度を高めるようになされた、高分子マトリックス中に負の誘電異方性を有する液晶材料を組み込むことを特徴とする請求項２２に記載のシステム。